(57)【要約】      （修正有）【課題】回折光の損失なく回折光全体を利用して、光利用効率、画像輝度を向上し得る投影ディスプレイシステムを開示する。【解決手段】本発明に係る投影ディスプレイシステムは、光源と、光源から放出される光を細線状の光に変換する線形照射システムと、線形照射システムから投影される光を回折して放射強度を調節する回折線形ディスプレイデバイスと、回折線形ディスプレイデバイスで回折された光を回折順位ごとに集めるモード選択光学システムと、モード選択光学システムから投影されるライン状画像をスキャンするスキャナと、スキャナでスキャンされた画像を拡大して投影する投影レンズと、を備えている。【選択図】図３
2006119636.tif 000002
【特許請求の範囲】
【請求項１】
光源と、
前記光源から放出される光を細線状の光に変換する線形照射システムと、
前記線形照射システムから投影される光を回折することにより、放射強度を調節する回折ディスプレイデバイスと、
前記回折線形ディスプレイデバイスにより回折された光を回折順位ごとに集めるモード選択光学システムと、
前記モード選択光学システムから投影される線状画像をスキャンするスキャナと、
前記スキャナによってスキャンされた画像を拡大して投影する投影レンズと、
を備えた投影ディスプレイシステム。
【請求項２】
前記回折線形ディスプレイデバイスは、電気信号が印加されていない場合に入射光を反射し、電気信号が印加されている場合に入射光を回折する、請求項１に記載の投影ディスプレイデバイス。
【請求項３】
前記回折線形ディスプレイデバイスは、スクリーン上に１ラインの画像を実現し、順次隣接するラインの画像を実現する、請求項１又は２記載の投影ディスプレイデバイス。
【請求項４】
前記モード選択光学システムは、
それぞれが所定の間隔で互いに離間して平行に配置された複数のスリットを持つ回折格子を備えたマスクと、
前記マスクを回折順位ごとに通って伝達される光を集めるレンズと、
を備えた請求項１乃至３何れか記載の投影ディスプレイデバイス。
【請求項５】
前記複数のスリットは、前記回折線形ディスプレイデバイスからの回折光のうち奇数次の回折光を通過可能に配置されている、請求項４に記載の投影ディスプレイデバイス。
【請求項６】
前記マスクは、前記回折線形ディスプレイデバイスからの回折光のうち偶数次の回折光を遮断または吸収するように構成されている、請求項５に記載のディスプレイデバイス。
【請求項７】
モード選択光学システムは、前記回折線形ディスプレイデバイスにより回折された光の全体を利用する、請求項４記載の投影ディスプレイデバイス。
【請求項８】
前記マスクは、前記レンズの前に前記レンズから離間して、板形状を持つように形成される、請求項４乃至７何れか記載の投影ディスプレイシステム。
【請求項９】
前記マスクは、前記レンズの表面に設けられて前記レンズと一体を成す、請求項４乃至７何れか記載の投影ディスプレイシステム。
【請求項１０】
前記光源は、前記赤色、緑色及び青色の光源を有し、
前記回折線形ディスプレイデバイスは、前記赤色、緑色及び青色の光源の各色に対応したディスプレイデバイスを含む、請求項１乃至９何れか記載の投影ディスプレイシステム。
【請求項１１】
前記線形照射システムと前記回折線形ディスプレイデバイスとの間に配置されたミラーをさらに備え、
前記ミラーは、前記線形照射システムからの光を前記回折線形ディスプレイデバイスに反射すると共に、前記回折線形ディスプレイデバイスから出力される０次回折光を前記線形照射システム側に反射する、
請求項１乃至１０何れか記載の投影ディスプレイシステム。
【請求項１２】
前記回折線形ディスプレイデバイスはＧＬＶ（グレーティング  ライト  バルブ）によって構成されている、請求項１乃至１１何れか記載の投影ディスプレイシステム。
【請求項１３】
光源と、
前記光源から放出される光を細線状の光に変換する線形照射システムと、
前記線形照射システムから投影される光を回折することにより、放射強度を調節する回折ディスプレイデバイスと、
それぞれが所定の間隔で互いに離間して平行に配置された複数のスリットを持つ回折格子を備え、前記回折線形ディスプレイデバイスからの光が入力されるマスクと、
前記マスクを通って伝達される光を集めるレンズと、
前記モード選択光学システムから投影される線状画像をスキャンするスキャナと、
前記スキャナによってスキャンされた画像を拡大して投影する投影レンズと、
を備えた投影ディスプレイシステム。
【発明の詳細な説明】
【技術分野】
【０００１】
本発明は、投影ディスプレイシステム、特に、回折線形ディスプレイデバイスを含む投影ディスプレイシステムに関する。本発明は、広い範囲の応用に適しているが、特に、光利用効率を上昇させ、スクリーンの輝度を向上させることに適している。
【背景技術】
【０００２】
一般に、投影ディスプレイシステムは、小さな画像を拡大して投影することにより大きな画像を表示する大型スクリーンを実現するディスプレイシステムである。
【０００３】
代表的な投影ディスプレイシステムとして、ランプ及びＬＣＤ（液晶ディスプレイ）を用いたＬＣＤ投影システムがある。
【０００４】
しかしながら、ＬＣＤ投影ディスプレイシステムは、以下のような問題を引き起こす。
【０００５】
第１に、ＬＣＤの反応スピードは、速い動画を表示する際に初期の画像を引き起こすには比較的遅い。
【０００６】
第２に、オフ状態にＬＣＤを通じて光を伝達する時に、液晶層が光を完全に遮断して光の漏洩を防止することができない。
【０００７】
第３に、光学システムを構成する際、色分離合成システムが、対応する構成をより複雑に表示し、対応する構成全体のサイズを向上させるために、必要である。
【０００８】
第４に、光源には高温高電圧のランプを用いるため、安全性が問題となる。
【０００９】
第５に、このようなランプの予想される寿命が約５０００時間であるため、このようなランプをＴＶ等に適用することが困難である。
【００１０】
第６に、このようなランプは、広いスペクトルの光を持つため、画像の色純度が低くなる。
【００１１】
これらの問題を解決するために、ＤＭＤ（ディジタル  マイクロミラー  デバイス）、ＧＬＶ（グレーティング  ライト  バルブ）等が、ＬＣＤに代わり投影ディスプレイシステムに用いられている。そして、上記ランプは、ＬＥＤ（ライト  エミッティング  デバイス）、レーザ等に置き換えられている。
【００１２】
特に、ＧＬＶは、線形ディスプレイデバイスであり、半導体プロセスで形成された１００〜１０，０００個のマイクロリボンからなる構成を有している。ＧＬＶデバイスは、ＬＣＤよりも速い応答速度、ＬＣＤより高いコントラスト、ＬＣＤより高い光効率を有している。それ故に、ＧＬＶは、ＬＣＤに比較して、より明るい画像をより自然に実現することに於いて有利である。
【００１３】
図１Ａから１Ｃは、一般的なＭＥＭＳ反射型ディスプレイデバイスとしてのＧＬＶ（グレーティング  ライト  バルブ）の概略図である。
【００１４】
図１Ａを参照すると、６個のリボン１１０、１２０が１個のピクセル１００を構成している。リボン１１０、１２０は、交互に配置されている。この場合、動作リボン１２０は電極１３０によって動作される一方、固定リボンは電極１３０によって動作されない。
【００１５】
６個のリボン１１０、１２０は、ピクセル１００が１ピクセルラインを構成するように連続して配置されている。
【００１６】
図１Ｂ及び図１Ｃは、電圧印加時及び非印加時に於けるＧＬＶの断面図である。
【００１７】
ＧＬＶ（グレーティング  ライト  バルブ）では、電極１３０に電圧が印加されていない場合、図１Ｂに示すように、ミラー表面はリボン（１１０，１２０の表面）と同じ高さに形成される。それ故、入射光はそのまま反射される。
【００１８】
ＧＬＶでは、電極１３０に電圧が印加されると、図１Ｃに示すように、固定リボン１１０は動作せず、動作リボン１２０が静電気力によって下方に折れ曲がる。
【００１９】
それ故、リボンの高さが周期的に階段状を構成するようにリボンが配置され、入射光の回折が周期的なグリッドによって引き起こされる。
【００２０】
この場合、回折光の放射強度は、降下する動作リボン１２０の高さ、又は、単位時間に降下する動作リボン１２０の数によって調整されることができる。
【００２１】
それ故、ＧＬＶは、回折光の放射強度を調節する光変調器として機能する。
【００２２】
図２は、図１に示したＧＬＶを採用した一般的なディスプレイシステムの概略図である。
【００２３】
図２によれば、光源２００から放出される光は、線形光学照射システム３００によって線形光としてＧＬＶ１００に放射される。
【００２４】
ＧＬＶ１００は、電気信号によって線形光を回折し、各ピクセルの回折光の放射強度を調節することによって画像を実現する。
【００２５】
ＧＬＶ１００で回折される光は、レンズ２００を通過してスキャナ５００に入射され、スキャナ５００によってスキャンされる。投影レンズ６００は、スキャンされた光を拡大してスクリーン７００に投影する。
【００２６】
この時、ＧＬＶ１００は、いくつかの回折光のうち一次回折光を用い、残りの２次または３次以上の回折光を使用しない。
【００２７】
それ故、従来技術のＧＬＶを採用する投影ディスプレイシステムでは、光利用効率が低い問題がある。
【００２８】
そして、従来技術のＧＬＶを採用する投影ディスプレイシステムでは、２次や３次以上の回折光が、１次回折光の光路に影響するように分散されるため、画像のコントラストが低下する。
【発明の開示】
【発明が解決しようとする課題】
【００２９】
従って、本発明は、従来技術の制限や欠点による問題を実質的に解消する投影ディスプレイシステムに関する。
【００３０】
本発明の目的は、回折光の損失なく回折光全体を使用して光利用効率、画像輝度が向上される投影ディスプレイシステムを提供することを目的とする。
【００３１】
本発明の他の目的は、回折光の全体を用いて画像コントラストを向上する投影ディスプレイシステムを提供することである。
【００３２】
本発明のさらなる利点、目的、特徴は、以下の記載で説明されると共に、以下の記載の検証によって当業者に明らかになると共に、本発明の実施からも知ることができる。本発明の目的、他の利点は、添付の図面と共に詳細な説明及び請求項に於いて具体的に指摘された構成によって、認識、理解することができる。
【課題を解決するための手段】
【００３３】
これらの目的、他の利点に到達するために、また、ここで具体化され広く記述された本発明の目的に従って、本発明の投影ディスプレイシステムは、光源と、光源から放出された光を細線状の光に変換する線形光照射システムと、
線形光照射システムから投影された光を回折することによって、放射強度を調節する回折線形ディスプレイデバイスと、
回折順位ごとに、回折線形ディスプレイデバイスによって回折された光を集めるモード選択光学システムと、
モード選択光学システムから投影される線状画像をスキャンするスキャナと、
スキャナによってスキャンされた画像を拡大して投影する投影レンズと、
を備える。
【００３４】
好ましくは、回折線形ディスプレイデバイスは、電気信号が印加されていないとき、入射光を反射し、電気信号が印加されているとき、入射光を回折する。
【００３５】
より好ましくは、回折線形ディスプレイデバイスは、スクリーン上に１ラインの画像を実現し、順次隣接するラインの画像を実現する。
【００３６】
好ましくは、モード選択光学システムは、所定の間隔で互いに離れて平行に配置された複数のスリットを持つ回折グリッドからなるマスクと、回折順位ごとにマスクを通って伝達される光を集めるレンズと、を備える。
【００３７】
好ましくは、複数のスリットは、回折線形ディスプレイデバイスからの回折光のうち奇数次の回折光を通過可能に配置されている。
【００３８】
好ましくは、マスクは、回折線形ディスプレイデバイスからの回折光のうち偶数次の回折光を遮断または吸収するように構成されている
好ましくは、モード選択光学システムは、前記回折線形ディスプレイデバイスにより回折された奇数次の回折光の全体を利用する。
【００３９】
より好ましくは、モード選択光学システムは、回折線形ディスプレイシステムで回折された光全体を使用する。より好ましくは、マスクは、レンズから離れるようにレンズの前で板形状を持つように構成される。より好ましくは、マスクは、レンズの表面に設けられ、レンズの本体に一体に組み込まれる。
【００４０】
好ましくは、光源は、Ｒ、Ｇ、Ｂの光源を含み、回折線形ディスプレイデバイスは、Ｒ、Ｇ、Ｂの光源の各色に対応する。
【００４１】
好ましくは、線形照射システムと前記回折線形ディスプレイデバイスとの間に配置されたミラーをさらに備える。ミラーは、線形照射システムからの光を回折線形ディスプレイデバイスに反射すると共に、回折線形ディスプレイデバイスから出力される０次回折光を線形照射システム側に反射する。
【００４２】
好ましくは、回折線形ディスプレイデバイスはＧＬＶ（グレーティング  ライト  バルブ）によって構成される。
【００４３】
本発明に係る投影ディスプレイシステムは、光源と、前記光源から放出される光を細線状の光に変換する線形照射システムと、前記線形照射システムから投影される光を回折することにより、放射強度を調節する回折ディスプレイデバイスと、それぞれが所定の間隔で互いに離間して平行に配置された複数のスリットを持つ回折格子を備え、前記回折線形ディスプレイデバイスからの光が入力されるマスクと、前記マスクを通って伝達される光を集めるレンズと、前記モード選択光学システムから投影される線状画像をスキャンするスキャナと、前記スキャナによってスキャンされた画像を拡大して投影する投影レンズと、
を備えている。
【００４４】
本発明の前述した記述及び以下の詳細な記述は、典型的且つ説明のためのものであり、請求項に記載された本発明のさらなる説明を提供することを意図している、ということを理解されるべきである。
【発明を実施するための最良の形態】
【００４５】
本発明の好ましい実施形態、その実施形態の例が添付の図面で説明される実施形態を詳細に参照する。
【００４６】
可能な場合には、同一の符号は、図面を通じて同一又は同様の部分に言及するために用いられる。
【００４７】
図３は、本発明の回折線形ディスプレイデバイスを採用した投影ディスプレイシステムの概略図である。
【００４８】
図３を参照すると、本発明の投影ディスプレイシステムは、光源２００と、光源２００から放出された光を細線状の光に変換する線形光照射システム３００と、線形光照射システム３００から投影される光を回折することによって放射強度を調節する回折線形ディスプレイデバイス１００と、回折の順位ごとに回折線形ディスプレイデバイス１００によって回折された光を集めるモード選択光学システム９００と、モード選択光学システム９００から投影された線状の光をスキャンするスキャナ５００と、スキャナ５００によってスキャンされた画像を拡大して投影する投影レンズ６００と、を備える。
【００４９】
ここで、回折線形ディスプレイデバイス１００は、電気信号が印加されていない場合に入射光を反射し、電気信号が印加されている場合に入射光を回折することにより放射強度を調節する、ように構成されている。
【００５０】
また、回折線形ディスプレイデバイス１００は、ＧＬＶ（グレーティング  ライト  バルブ）を含んで構成される。ＧＬＶは、例えば、図１Ａ乃至図１Ｃに示した構成のものを用いることができる。
【００５１】
図１Ａから１Ｃは、一般的なＭＥＭＳ反射型ディスプレイデバイスとしてのＧＬＶ（グレーティング  ライト  バルブ）の概略図である。
【００５２】
図１Ａを参照すると、６個のリボン１１０、１２０が１個のピクセル１００を構成している。リボン１１０、１２０は、交互に配置されている。この場合、動作リボン１２０は電極１３０によって動作される一方、固定リボンは電極１３０によって動作されない。
【００５３】
ここでは、６個のリボン１１０、１２０が、ピクセル１００が１ピクセルラインを構成するように連続して配置されている。
【００５４】
図１Ｂ及び図１Ｃは、電圧印加時及び非印加時に於けるＧＬＶの断面図である。
【００５５】
ＧＬＶ（グレーティング  ライト  バルブ）では、電極１３０に電圧が印加されていない場合、図１Ｂに示すように、ミラー表面はリボン（１１０，１２０の表面）と同じ高さに形成される。それ故、入射光はそのまま反射される。
【００５６】
ＧＬＶでは、電極１３０に電圧が印加されると、図１Ｃに示すように、固定リボン１１０は動作せず、動作リボン１２０が静電気力によって下方に折れ曲がる。
【００５７】
それ故、リボンの高さが周期的に階段状を構成するようにリボンが配置され、入射光の回折が周期的なグリッドによって引き起こされる。
【００５８】
この場合、回折光の放射強度は、降下する動作リボン１２０の高さ、又は、単位時間に降下する動作リボン１２０の数によって調整されることができる。
【００５９】
それ故、ＧＬＶは、回折光の放射強度を調節する光変調器として機能する。
【００６０】
モード選択光学システム９００は、様々な順位の幾つかの回折光をそれぞれ伝達する。このとき、モード選択ディスプレイデバイス９００は、回折光全体を使用することによって、光利用効率を向上させ、コントラストを向上させる。
【００６１】
さらに、回折線形ディスプレイデバイス１００は、スキャナ５００が１ラインの画像を対応してスキャンしながら、１つのスクリーン上に１ラインの画像を実現し、順次に隣接するラインに画像を実現することによって、１スクリーンを構成する。
【００６２】
上記で構成された投影ディスプレイデバイスの動作は、添付の図面を参照しながら以下に説明する。
【００６３】
第１に、光源２００から放出された光は、次段に配置された線形光照射システム３００を通過し、細線状の光に変換されて伝播される。
【００６４】
変換された線形光は、次に、４５°傾いたミラー８００によって反射され、回折線形ディスプレイデバイス１００に照射される。
【００６５】
引き続き、回折線形ディスプレイデバイス１００は、スクリーン上に１ライン画像を実現する。具体的には、回折線形ディスプレイデバイス１００に印加する電気信号を制御することによってスクリーン７００上に照射される光の強度を調整する。スクリーン７００に照射する光の強度は、回折線形ディスプレイデバイス１００の各ピクセルごとに、降下する動作リボン１２０の高さ、又は、単位時間に降下する動作リボン１２０の数によって調整されることができる。
回折ディスプレイデバイス１００は、ターンオン又はターンオフの電気信号に対して異なる機能を実行する。ターンオン及びターンオフ電気信号は、例えば、回折ディスプレイデバイス１００への電気信号の入力の有無、電気信号の強度によって構成される。
【００６６】
回折ディスプレイデバイス１００は、電気信号が印加されていない場合に入射光を直接反射するミラーとしての役割を果たす。回折ディスプレイデバイス１００に電気信号が印加されている場合、回折ディスプレイデバイス１００は、入射光を回折する周期的な回折格子を構成する。
【００６７】
ここでは、電気信号が印加される回折線形ディスプレイデバイス１００により回折される光は、回折格子の形状によって様々な順位の回折光に分散され、伝播される。
【００６８】
また、回折線形ディスプレイデバイス１００により回折された光は、特定の角度で伝播され、次段に配置されたモード選択光学システム９００の入力となる。
【００６９】
モード選択光学システム９００は、次に、回折順位ごとに回折光を選択的に伝達し、その後、選択的に伝達された光をスキャナ５００に伝播させる。
【００７０】
モード選択光学システム９００に於いて回折順位ごとに選択的に光を伝達する方法は、以下のように詳細に説明される。
【００７１】
図４は、本発明の回折線形ディスプレイデバイスの回折格子による回折光を説明するための説明図である。
【００７２】
図４を参照すると、回折格子は、間隔‘ｈ’で互いに離間して平行に配置されたＮ個のスリットを含み、周期的な格子を構成している。ここで、各スリットは幅‘ｂ’を有している。回折線形ディスプレイデバイスをＧＬＶで構成する場合、各スリットは、電圧印加時に下方に移動する動作リボンの位置に対応する。
【００７３】
地点Ｐで回折された光の波動関数Ｕｐは、数１に示される。
【００７４】
【数１】
2006119636.tif 000003
【００７５】
また、回折光の角度ごとの寄与は、数２に示される。
【００７６】
【数２】
2006119636.tif 000004
【００７７】
ここで、Ｉ０は、θ＝０の場合の光の強度である。
【００７８】
従って、縞状の回折パターンが、地点Ｐを含み光軸に垂直な面上に明暗として現れる。
【００７９】
ここで、明るい部分（明部）は、γ＝ｎπ，ｎ＝０，１，２，・・に現れる。
【００８０】
即ち、明部パターンは、γ＝（１／２）ｋｈ・ｓｉｎθ＝ｎπ，ｎ＝０，１，２，・・に現れ、暗部パターンは、γ＝（１／２）ｋｈ・ｓｉｎθ＝（ｎ／２）π，ｎ＝１，２，・・に現れる。
【００８１】
ここで、フロントエンドに配置される回折線形ディスプレイデバイス１００により回折された光のうち０次回折光は、回折されない光に一致する。
【００８２】
即ち、回折線形ディスプレイデバイス１００上に垂直に入射される光は、直接反射して、光源２００に向かって進む。
【００８３】
ここで、回折ディスプレイデバイス１００により回折された光のうち１次回折光の放射強度は最大であり、２次回折光は暗部に対応する。
【００８４】
それ故、奇数次の回折光は明部を形成し、一方、偶数次の回折光は暗部を形成する。
【００８５】
また、順位が大きくなるほど、回折光の放射強度は低下する。
【００８６】
それ故、従来技術の投影ディスプレイデバイスは、１次回折光のみを用い、奇数番目に対応する高い順位の回折光の放射強度を損失していた。
【００８７】
また、従来技術の投影ディスプレイデバイスでは、偶数番目の回折光が暗部を形成する場合さえ、少量の放射強度が残っている。それ故、偶数番目の回折光が投影レンズの入力となり、コントラストを低下させる。
【００８８】
本発明では、モード選択光学システム９００が、回折線形ディスプレイデバイス１００の次段に配置されている。これにより、回折光のうち奇数番目の回折光の全体がモード選択光学システム９００を通過することができ、偶数番目の回折光がモード選択光学システム９００によって遮断される。それ故、本発明は、光利用効率を増加させ、スクリーン輝度及びコントラストを向上させることができる。
【００８９】
図５Ａ及び図５Ｂは、本発明に係る投影ディスプレイシステムのモード選択光学システム９００の概略図である。
【００９０】
図５Ａ及び図５Ｂを参照すると、本発明に係る投影ディスプレイシステムのモード選択光学システム９００は、所定の間隔で互いに離間して平行に配置された複数のスリットを含み、各スリットが回折順位の光を選択的に伝達又は吸収するマスク９５０と、回折された回折順位ごとにマスク９５０を通って伝達される光を集めるレンズ９６０と、を備えている。
【００９１】
即ち、前段に配置された回折線形ディスプレイデバイス１００により回折された光のうち０次回折光９１０は、ミラー８００で反射され、光源２００の方向に進む。それ故、０次回折光９１０は、レンズ９６０の方向に向かって進まない。その結果、０次回折光９１０は表示に寄与しない。
【００９２】
マスク９５０には、１次回折光９２０の進行方向に開口部が配置されており、１次回折光９２０は、モード選択光学システム９００を通って伝達され、進む。
【００９３】
マスク９５０には、２次回折光９３０の進行方向に閉鎖部（開口部以外の部分）が配置されており、２次回折光９３０は、マスク９５０で吸収され、モード選択光学システム９００を通って伝達されない。マスク９５０は、偶数次の回折光を吸収する材料で構成する。
【００９４】
マスク９５０には、３次回折光９４０の進行方向に開口部が配置されており、３次回折光９４０は、モード選択光学システム９００を通って伝達され、進む。
【００９５】
このように、奇数番目の回折光のみ通過可能なようにマスク９５０を構成すると、回折光のうち奇数番目の回折光のみがマスク９５０を通過し、レンズ９６０で集光されてスキャナ５００に伝達される。また、偶数次の回折光は、ミラー８００で反射またはマスク９５０で吸収されるため、奇数次の回折光の光路に干渉することなく、画像のコントラストの低下を防止できる。
【００９６】
それ故、回折光の伝達／吸収を行うマスク９５０が様々な回折順位の回折光の角度、進行方向に対応するようにレンズ９６０に設けられれば、対応する回折順位が伝達されるように選択することができる。
【００９７】
図５Ａに示すようなマスク９５０は、レンズ９６０の前に薄い板により、レンズ９６０から離間して構成することができる。
【００９８】
或いは、マスク９５０は、図５Ｂに示すように、レンズ９６０と一体に組み込まれるように、レンズ９６０の表面に構成しても良い。
【００９９】
それ故、モード選択光学システム９００により特定の回折順位の回折光を伝達し、モード選択光学システム９００により不要な回折順位の他の回折光を遮断することによって、光利用効率が増加され、スクリーンの輝度が増加され、スクリーンのコントラストが向上される。
【０１００】
また、回折線形ディスプレイデバイス１００に電圧を印加せずにスクリーン７００上に暗部を形成する場合、回折線形ディスプレイデバイス１００で反射された光はミラー８００により光源２００側に戻されるので、スクリーン７００側に光が漏れることを防止することができる。これにより、スクリーン７００上の画像のコントラストを向上させることができる。
【０１０１】
また、偶数次の回折光は、ミラー８００で反射またはマスク９５０で吸収されるため、奇数次の回折光の光路に干渉することなく、画像のコントラストの低下を防止できる。
【０１０２】
モード選択光学システム９００の前に配置された回折線形ディスプレイデバイス１００は、入力されたビデオ信号からスクリーンの特定の長さ方向にライン画像を実現する。
【０１０３】
即ち、回折線形ディスプレイデバイス１００の長さ方向に配置されたピクセルは、対応するライン画像の各ピクセルの画像情報を実現することができる。
【０１０４】
また、回折線形ディスプレイデバイス１００により実現されるライン画像は、モード選択光学システム９００を通過し、スキャナ５００により順次スキャンされ、そして、スクリーン７００上に画像を実現する。
【０１０５】
ここで、スキャナ５００からのライン画像は、投影レンズ６００によって拡大して投影され、スクリーン７００上に画像が形成される。
【０１０６】
或いは、Ｒ／Ｇ／Ｂ光源が使用される場合には、３個の回折線形でディスプレイデバイスが、各色にそれぞれ対応するように採用される。また、投影ディスプレイシステムは、各色の画像を合成するように構成される。
【０１０７】
従って、回折線形ディスプレイデバイスを持つ本発明の投影ディスプレイシステムは、以下のような効果、利点を提供する。
【０１０８】
第１に、全ての順位の回折光を選択的に伝達／反射させることにより、光利用効率が増加し得る。
【０１０９】
第２に、スクリーンの輝度、コントラストが向上され得る。
【０１１０】
本発明の精神、目的を逸脱することなく、本発明に様々な変更、変形を成すことが可能であることは、当業者には明らかである。それ故、本発明に対する変形、変更が添付の請求項及びそれらの均等の範囲内に入る場合には、本発明は、そのような変形、変更を含むことを意図する。
【図面の簡単な説明】
【０１１１】
添付の図面は、本発明のさらなる理解を提供するために含まれ、参照されてここに含まれ、本出願の一部を成ものであり、本発明の実施の形態を説明し、詳細な説明と共に本発明の原理の説明を提供する。
【図１Ａ】一般的なＭＥＭＳ反射型ディスプレイデバイスとしてのＧＬＶ（グレーティング  ライト  バルブ）の概略図である。
【図１Ｂ】一般的なＭＥＭＳ反射型ディスプレイデバイスとしてのＧＬＶ（グレーティング  ライト  バルブ）の概略図である。
【図１Ｃ】一般的なＭＥＭＳ反射型ディスプレイデバイスとしてのＧＬＶ（グレーティング  ライト  バルブ）の概略図である。
【図２】図１に示されたＧＬＶを採用した一般的な投影ディスプレイシステムの概略図である。
【図３】本発明による回折線形ディスプレイデバイスを採用した投影ディスプレイシステムの概略図である。
【図４】本発明の回折線形ディスプレイデバイスに於ける回折格子による回折光を説明するための概略図である。
【図５Ａ】本発明の投影ディスプレイシステムのモード選択光学システムの概略図である。
【図５Ｂ】本発明の投影ディスプレイシステムのモード選択光学システムの概略図である。
【符号の説明】
【０１１２】
１００  光源
２００  回折線形ディスプレイデバイス
３００  線形光照射システム
５００  スキャナ
６００  投影レンズ
７００  スクリーン
８００  ミラー
９００  モード選択光学システム
９５０  マスク
９６０  レンズ
【図１Ａ】
2006119636.tif 000005
【図１Ｂ】
2006119636.tif 000006
【図１Ｃ】
2006119636.tif 000007
【図２】
2006119636.tif 000008
【図３】
2006119636.tif 000009
【図４】
2006119636.tif 000010
【図５Ａ】
2006119636.tif 000011
【図５Ｂ】
2006119636.tif 000012